(57)【要約】【課題】極薄のベースシートからなる増毛シートの取り付け作業を自分で失敗なく簡単容易にかつ短時間で行なうことができるようにする。【解決手段】上側櫛状部２と、下側櫛状部３と、これら両櫛状部２，３の基部２２，３２を連結する連結部４とからなり、上側櫛状部２と下側櫛状部３とを上記連結部４により相対向状でかつ上下に所定の隙間をおいて連結した。【選択図】図１
2014136856.tif 000002
【特許請求の範囲】
【請求項１】
上側櫛状部２と、下側櫛状部３と、これら両櫛状部２，３を連結する連結部４とを備え、上側櫛状部２と下側櫛状部３とが上記連結部４により相対向状でかつ上下に所定の隙間をおいて連結されていることを特徴とする増毛シートの貼付補助具。
【請求項２】
上側櫛状部２と下側櫛状部３と連結部４とが変形可能な材料により一体に成形されており、かつ、連結部４部分が額や頭などに沿わせられるよう変形可能に構成されていることを特徴とする請求項１記載の増毛シートの貼付補助具。
【発明の詳細な説明】
【技術分野】
【０００１】  本発明は、厚みの薄い増毛シートや厚みの薄いカツラなど、ベースシートがぺらぺらして頭皮の正しい位置に貼り付けにくい物を補助して貼り付けやすくするための増毛シートの貼付補助具に関するものである。
【背景技術】
【０００２】  従来、例えばそりこみ部や生え際部などの比較的残っている髪の毛が少ない場合のボリュームアップ法や前髪部分などにファッション性を与えるヘアーメイク法として、増毛シートを用いる部分増毛が知られている。増毛シートは、ベース（土台）となる厚みの薄い透明状シート（以下ベースシートという）に増毛用髪を植付けたもので、その取り付け方法は、たとえば額の生え際の形に合わせて増毛シート（ベースシート）をデザインカットし、カットしたベースシートの裏面に接着剤を塗布したうえで頭皮に直接貼り付けて用いている。
【発明の概要】
【発明が解決しようとする課題】
【０００３】  ところが、最近の増毛技術では、ベースシートがどんどん薄くなって極薄となり、頭皮に着いた状態では見た目にも触っても分からないほど精巧なものが増えてきている。しかし、あまりにも薄くぺらぺらしており、加えてとても柔らかいため一定の形に保持することができず、そのため自分で正しい位置に正確に貼り付けることが非常に困難であった。
つまり、ベースシートの裏面に接着剤を塗る際に、その接着面に塗布用のハケもしくはノズルがくっつき、柔らかいベースシートが持ち上がったり、支持するベースシートに指がくっついたりしてベースシートがぐちゃぐちゃになりやすく、その結果、ベースシートの部分同士が重なった状態でくっついたりすることが多々あり、しかも、長めに植付けられた増毛用髪が風や静電気、植付け方向、髪質などの関係により簡単にベースシートの裏面に廻り込んでくっついてしまう問題があった。さらに、ベースシートを頭皮に貼り付ける時、ベースシートの裏面側における周囲全周に粘着剤が塗られているため、手で持つと指にくっつきうまく貼り付けることが困難となるし、指でさわった部分は接着力が低下する問題があり、その上、この貼り付け作業においても増毛用髪がベースシートの裏側に簡単に廻り込んでベースシートと頭皮の間に挟まり失敗する確率が極めて高い問題があった。以上の問題から自分で増毛シートの貼り付け作業を行った場合、ある程度うまくいったとしても、ぺらぺらで柔らかいベースシートが寄れて皺になった状態で着いてしまうことが多く、また、自毛の生え際ラインに正確に沿わせてベースシートの裏面のみをピッタリと貼り付けることは至難の業であった。【０００４】  そのため、通常極薄の増毛シートを用いて増毛を行う場合には、専門の増毛サロンなどで、予約の上お店に訪問し高額な技術料を支払い、しかも時間をかけて熟練者に増毛してもらっているのが現状である。なお、専門家はこの増毛シートの取り付け作業を行う場合、増毛シートを裏返しその増毛用髪を四方八方に引っ張った状態で髪を、テープなどを用いた専用の仮止め手段で固定し、その固定状態のもとでベースシートの裏面に接着剤などを塗るようにしており、頭皮への貼り付け時もベースシートを持たずに増毛用髪の髪を持ちベースシートが寄れて皺にならないように細心の注意を払いながら貼り付けを行なっている。【０００５】  そこで本発明は、上記した問題に鑑み発明したもので、厚みの薄いベースシートからなる増毛シートの取り付け作業を自分で簡単容易にかつ短時間で行なうことができ、しかも失敗することなく貼り付けることができる増毛シートの貼付補助具の提供を課題とする。
【課題を解決するための手段】
【０００６】  上記した問題を解決するため、本願の請求項１記載の発明は、上側櫛状部２と、下側櫛状部３と、これら両櫛状部２，３の基部２２，３２を連結する連結部４とを備え、上側櫛状部２と下側櫛状部３とが上記連結部４により相対向状でかつ上下に所定の隙間をおいて連結されていることを特徴とする。
なお、増毛シートとは、額際用の増毛シートの他、その他の生え際用増毛シートや部分カツラ或いは全頭カツラを含む概念である。【０００７】  本願の請求項２記載の発明は、請求項１記載の構成における上側櫛状部２と下側櫛状部３と連結部４とが変形可能な材料により一体に成形されており、かつ、連結部４側部分が額や頭などに沿わせられるよう変形可能に構成されていることを特徴とする。
【発明の効果】
【０００８】  本発明の増毛シートの貼付補助具によれば、上記した構成により、たとえば極薄のベースシートからなる額際用の増毛シートの貼り付け作業を自分で行う場合、額側部分が手前にくるよう裏返した増毛シート１０の増毛用髪１２の根元側に貼付補助具１を差し込むことにより、ベースシート１１を上側櫛状部２の上面に沿ってピンと張った状態にでき、また、上、下側櫛状部２，３がある程度の高さをもって上下で２段になっているため、上、下側櫛状部２，３が増毛用髪１２の根元部分に上下２層でランダムに食い込むことになり、貼付補助具１が増毛シート１０から滑って外れるといったことがなくなる。しかも、この貼付補助具１の連結部４で増毛用髪１２の根元近くをベースシート１１に対し直角状となるよう後方側に押し込むことにより、増毛用髪１２を起こした状態を確実に保つことが可能になり、これにより、増毛用髪１２の毛先がベースシート１１の裏面側に廻り込むことがほとんどなくなる。その結果、貼付補助具１により増毛用髪１２を起こした状態でベースシート１１の裏面に接着剤を簡単容易に塗布でき、また、増毛シート１０を持つことなく貼付補助具１のみを持って額際の頭皮に合わせて貼り付けることができる。さらに、この貼り付け工程においても貼付補助具１により増毛用髪１２を起こした状態が保たれているので、増毛用髪１２の毛先がベースシート１１の裏面側に廻り込むこともなくなる。従って、極薄のベースシート１１からなる増毛シート１０の貼り付け作業を自分で簡単容易にかつ短時間で行なうことができ、しかもベースシート１１が皺になるといった失敗や貼り付け部分に増毛用髪１２を挟み込むといった失敗なく正確に貼り付けることができる。【０００９】  また、上側櫛状部２と下側櫛状部３と連結部４とを変形可能な材料により一体に成形し、かつ、連結部４部分を額や頭などに沿わせられるよう変形可能に構成すれば、増毛シート１０を貼り付ける例えば額際などの曲面形状に合わせて貼付補助具１の連結部４部分を変形させられるので、増毛シート１０をより一層正確な位置にかつ楽に貼り付けることができるのでこのましい。
【図面の簡単な説明】
【００１０】
【図１】本発明に係る増毛シートの貼付補助具の斜視図である。
【図２】同正面図である。
【図３】同底面図である。
【図４】同側面図である。
【図５】増毛シートの平面図である。
【図６】増毛シートへの貼付補助具のセット状態説明図である。
【図７】同縦断説明図である。
【図８】同貼り付け時の説明図である。
【発明を実施するための形態】
【００１１】  以下本発明の実施の形態を図に基づいて説明する。
【００１２】  図１〜４は、本発明に係る増毛シートの貼付補助具を示し、この貼付補助具１は、上側櫛状部２と、下側櫛状部３と、これら両櫛状部２，３の基部２２，３２を連結する連結部４とからなり、上側櫛状部２と下側櫛状部３とが上記連結部４により相対向状でかつ上下に所定の隙間をおいて連結されている。
【００１３】  具体的には、上側櫛状部２は、図２に示すようにほぼ等間隔の切り込みにより形成された多数の歯２１…２１と、これら歯２１…２１を片持ち状に支持する基部２２とからなり、下側櫛状部３も、上記上側櫛状部２と同様にほぼ等間隔の切り込みにより形成された多数の歯３１…３１と、これら歯３１…３１を片持ち状に支持する基部３２とからなる。上、下側櫛状部２，３の各基部２２，３２は、平面から見て額際の丸みに合わせた円弧状に形成され、また、上、下側櫛状部２，３の各歯２１…２１，３１…３１の先端側中央部分も頭部形状に沿わせやすくするため凹み状に形成されている。さらに、連結部４は、図４に示すように上記上側櫛状部２の基部２２と下側櫛状部３の基部３２を一体に連結するＵ字状の折り返し連結壁から形成されている。
【００１４】  図に示す実施の形態では、貼付補助具１の材料として、透明状の合成樹脂を用いると共に、上側櫛状部２と下側櫛状部３と連結部４とを一体成形により形成して、貼付補助具１を額や生え際などの形状に合わせて沿わせることができるよう変形可能に構成されている。
【００１５】  また、図に示す貼付補助具１の製造方法としては、例えば合成樹脂からなる板状体をその中間部分においてＵ字状に折り曲げる一方、所定の隙間をおいて相対向する板状部分の各遊端側にほぼ等間隔の切り込みを前工程又は後工程で多数形成することにより、上側櫛状部２と、下側櫛状部３と、これら両櫛状部２，３を連結するＵ字状の連結部４とからなる貼付補助具１を形成するようにしている。
【００１６】  一方、図５は額際部分を部分的に増毛するための増毛シート１０である。この増毛シート１０は、極薄で透明のベースシート１１に増毛用髪１２を植付けたもので、ベースシート１１はぺらぺらした柔らかいものであり、増毛用髪１２は貼り付け後に求める前髪にデザインカットできるよう通常の前髪よりも長めのものが前傾斜状に植付けられている。
【００１７】  次に、以上のように構成した増毛シートの貼付補助具の作用について述べる。
【００１８】  まず、図６に示すように、増毛シート１０をその額側部分が手前にくるよう裏返し、増毛シート１０の増毛用髪１２側（図６及び図７におけるベースシート１１の下側）で、増毛用髪１２の根元側に貼付補助具１を差し込む。これにより、ベースシート１１は上側櫛状部２の上面に沿ってピンと張った状態になり、また、上、下側櫛状部２，３がある程度の高さをもって上下で２段になっているため、上、下側櫛状部２，３が増毛用髪１２の根元部分に上下２層でランダムに食い込むことにより、髪に抵抗が発生し固定力が生まれ貼付補助具１が増毛シート１０から滑って外れるといったことがなくなる。しかも、ある程度の高さをもつ貼付補助具１の連結部４が増毛用髪１２の根元近くをベースシート１１に対し直角状となるよう後方側に押し込むことにより、増毛用髪１２を起こした状態を確実に保つことが可能になり、これにより、増毛用髪１２の毛先がベースシート１１の裏面側に廻り込むことがほとんどなくなる。
【００１９】  次に、このように増毛用髪１２を起こした状態で、ベースシート１１の裏面に接着剤（図示せず）などを塗布し、その後、貼付補助具１を持って図８に示すような状態で額際の頭皮に合わせて貼り付けていく。この貼り付け工程は全てにおいて増毛シート１０を持つことなく貼付補助具１を持って行うことができる。このとき、貼付補助具１として、変形可能で透明状の合成樹脂材料を用いることにより、額際の曲面形状に合わせて貼付補助具１を変形させられると共に、貼付補助具１を透しての貼り付け位置の確認や増毛用髪１２の毛先がベースシート１１の裏面側に廻り込んでいないかの確認も容易に行えるので、正確な位置に簡単容易に貼り付けることができる。
【００２０】  以上のように、貼付補助具１を増毛シート１０に差し込んでいる間は、貼付補助具１と増毛シート１０が一体状となり、しかも、ある程度の高さがある上下２段の上、下側櫛状部２，３と連結部４とが増毛用髪１２を起こした状態を確実に保持しているので、貼り付け工程においてもベースシート１１の接着面に毛先が廻り込むことがほとんどなく、その貼り付け作業を簡単容易にかつ迅速に行うことができる。その結果、極薄のベースシート１１からなる増毛シート１０の貼り付け作業を自分で簡単容易にかつ短時間で行なうことができ、しかもベースシート１１が皺になるといった失敗や貼り付け部分に増毛用髪１２を挟み込むといった失敗なく正確に貼り付けることができる。
【００２１】  上記した実施の形態では、貼付補助具１を用いて額際用の増毛シート１０を額際に貼り付ける場合について説明したけれど、本発明の貼付補助具１は、その他の箇所の生え際用増毛シートを貼り付ける場合や部分カツラ或いは全頭カツラを貼り付ける場合などについても幅広く適用できること勿論である。その場合、使用する増毛シート１０の形状や大きさに合わせた形状及びサイズのものを数種類用意しておき、使用時に適宜形状やサイズを選択して使用するのがこのましい。
【００２２】  なお、貼付補助具１の材料としては、額や頭などの形状に合わせて沿わせることができる変形可能な材料を用いたものが好ましいが、特に限定するものではなく、木製や金属製或いはゴム製のものなどであってもよい。また、製造方法としても、上記したように板状体を折り曲げ加工したものに限らず、一般的な型成形や切削加工などであってもよい。さらに、連結部４は、上記した実施の形態のように上側櫛状部２と下側櫛状部３の基部２２，３２部分のみに限らず、上側櫛状部２と下側櫛状部３の両側部にわたって設けるようにしてもよいし、連結部４部分から外側方に突出する適宜形状のつまみ部を設けるようにしてもよい。
【００２３】  また、本発明の貼付補助具１によれば、毛髪を起こした状態を確実に保持する効果が得られるので、増毛シート１０を貼り付ける場合の貼付補助具１として用いる他、たとえばドライヤーにより熱風をかけて毛髪を起こすようセットする場合の髪起しの補助用具（櫛）としても使用することができる。
【符号の説明】
【００２４】１        貼付補助具
２        上側櫛状部
３        下側櫛状部
４        連結部
２２      基部
３２      基部
【図１】
2014136856.tif 000003
【図２】
2014136856.tif 000004
【図３】
2014136856.tif 000005
【図４】
2014136856.tif 000006
【図５】
2014136856.tif 000007
【図６】
2014136856.tif 000008
【図７】
2014136856.tif 000009
【図８】
2014136856.tif 000010